(57)【要約】【課題】低コストで信頼性の高い原本保証を行うこと。【解決手段】画像データの色の情報を複数の色材で表現するための色の情報に変換する際に用いられるテーブルであって、変換前後の対応関係が定義されたカラーテーブル１と、カラーテーブル１とは異なる変換前後の対応関係が定義されたカラーテーブル２と、のいずれかを用いて画像データの色の情報を変換する色変換部１０２を備え、色変換部１０２は、本文５１を形成するために入力された画像データをカラーテーブル１を用いて変換し、本文５１が原本であることを保証するための原本保証用の画像５２を形成するための画像データをカラーテーブル２を用いて変換し、エンジン部Ｃは、色変換部１０２によりカラーテーブル２を用いて変換された画像データに基づいて、原本保証用の画像５２を記録材Ｐに形成する。【選択図】図１
2017073695.tif 000002
【特許請求の範囲】
【請求項１】
複数の色材を用いて記録材に画像を形成する形成手段を備える画像形成装置であって、
画像データの色の情報を前記複数の色材で表現するための色の情報に変換する際に用いられるテーブルであって、変換前後の対応関係が定義された第一のテーブルと、前記第一のテーブルとは異なる変換前後の対応関係が定義された第二のテーブルと、のいずれかを用いて画像データの色の情報を変換する変換手段を備え、
前記変換手段は、第一の画像を形成するために入力された画像データを前記第一のテーブルを用いて変換し、前記第一の画像が原本であることを保証するための第二の画像を形成するための画像データを前記第二のテーブルを用いて変換し、
前記形成手段は、前記変換手段により前記第二のテーブルを用いて変換された画像データに基づいて、前記第二の画像を記録材に形成することを特徴とする画像形成装置。
【請求項２】
前記第一のテーブル及び前記第二のテーブルは、ＲＧＢ色空間からＹＭＣＢｋ色空間に変換するためのテーブルであることを特徴とする請求項１に記載の画像形成装置。
【請求項３】
前記第二のテーブルにおけるＹＭＣＢｋの４色のトナー載り量の組み合わせは、前記第一のテーブルにおけるＹＭＣＢｋの４色のトナー載り量の組み合わせにはない組み合わせであることを特徴とする請求項２に記載の画像形成装置。
【請求項４】
記録材に形成された画像の色の情報を読み取る第一の読取手段と、
前記第一の読取手段により前記第二の画像の色の情報を読み取り、読み取った色の情報を符号化してコードを生成する生成手段と、
を備え、
前記形成手段は、前記記録材に前記コードに基づく第三の画像を形成することを特徴とする請求項１から請求項３のいずれか１項に記載の画像形成装置。
【請求項５】
記録材に形成された画像の色の情報を読み取る第一の読取手段と、
前記第一の読取手段により前記第二の画像の色の情報を読み取り、読み取った色の情報に対応付けられた識別符号を符号化してコードを生成する生成手段と、
を備え、
前記形成手段は、前記記録材に前記コードに基づく第三の画像を形成することを特徴とする請求項１から請求項３のいずれか１項に記載の画像形成装置。
【請求項６】
前記読み取った色の情報と前記識別符号とを対応付けて保存する保存手段を備えることを特徴とする請求項５に記載の画像形成装置。
【請求項７】
前記保存手段は、前記画像形成装置とネットワークを介して接続されたサーバであることを特徴とする請求項６に記載の画像形成装置。
【請求項８】
前記色の情報は、色度であることを特徴とする請求項１から請求項７のいずれか１項に記載の画像形成装置。
【請求項９】
前記色の情報は、分光反射率であることを特徴とする請求項１から請求項７のいずれか１項に記載の画像形成装置。
【請求項１０】
第一の画像が形成されている記録材に形成された第四の画像の色の情報を読み取る第二の読取手段と、
前記記録材に形成された第五の画像を読み取る第三の読取手段と、
前記第二の読取手段により読み取られた前記第四の画像の色の情報と、前記第三の読取手段により前記第五の画像から読み取られた情報に基づき得られた色の情報と、に基づいて、前記第一の画像が原本であるか否かを判断する判断手段と、
を備え、
前記第三の読取手段により前記第五の画像から読み取られた情報に基づき得られた色の情報は、
画像データの色の情報を複数の色材で表現するための色の情報に変換する際に用いられるテーブルであって、変換前後の対応関係が定義され、前記第一の画像を形成するために入力された画像データを変換する際に用いられた第一のテーブルと、前記第一のテーブルとは異なる変換前後の対応関係が定義された第二のテーブルと、のいずれかを用いて画像データの色の情報を変換する変換手段と、前記複数の色材を用いて記録材に画像を形成する形成手段と、を備える画像形成装置の、前記変換手段により前記第二のテーブルを用いて変換された画像データに基づいて前記形成手段により形成された第二の画像の色の情報であることを特徴とする原本判断装置。
【請求項１１】
前記判断手段は、前記第二の読取手段により読み取られた前記第四の画像の色の情報と、前記第三の読取手段により前記第五の画像から読み取られた情報に基づき得られた色の情報と、の差分が所定の値以下である場合に、前記第一の画像が原本であると判断することを特徴とする請求項１０に記載の原本判断装置。
【請求項１２】
前記画像形成装置は、記録材に形成された画像を読み取る第一の読取手段と、前記第一の読取手段により前記第二の画像の色の情報を読み取り、読み取った色の情報を符号化してコードを生成する生成手段と、を有し、
前記判断手段により前記第一の画像が原本であると判断された場合には、
前記第四の画像は、前記第二の画像であり、
前記第五の画像は、前記第一の読取手段により読み取った前記第二の画像の色の情報を前記生成手段により符号化して生成されたコードに基づいて前記形成手段により形成された画像であることを特徴とする請求項１０又は請求項１１に記載の原本判断装置。
【請求項１３】
前記第一のテーブル及び前記第二のテーブルは、ＲＧＢ色空間からＹＭＣＢｋ色空間に変換するためのテーブルであることを特徴とする請求項１０から請求項１２のいずれか１項に記載の原本判断装置。
【請求項１４】
前記第二のテーブルにおけるＹＭＣＢｋの４色のトナー載り量の組み合わせは、前記第一のテーブルにおけるＹＭＣＢｋの４色のトナー載り量の組み合わせにはない組み合わせであることを特徴とする請求項１３に記載の原本判断装置。
【請求項１５】
前記色の情報は、色度であることを特徴とする請求項１０から請求項１４のいずれか１項に記載の原本判断装置。
【請求項１６】
前記色の情報は、分光反射率であることを特徴とする請求項１０から請求項１４のいずれか１項に記載の原本判断装置。
【請求項１７】
複数の色材を用いて記録材に画像形成を行う画像形成装置と、記録材に形成された画像が原本であるか否かを判断する原本判断装置と、前記画像形成装置及び前記原本判断装置にネットワークを介して接続されたサーバと、を備える原本保証システムであって、
前記画像形成装置は、
画像データの色の情報を前記複数の色材で表現するための色の情報に変換する際に用いられるテーブルであって、変換前後の対応関係が定義された第一のテーブルと、前記第一のテーブルとは異なる変換前後の対応関係が定義された第二のテーブルと、のいずれかを用いて画像データの色の情報を変換する変換手段と、
前記複数の色材を用いて記録材に画像を形成する形成手段と、
を有し、
前記変換手段は、第一の画像を形成するために入力された画像データを前記第一のテーブルを用いて変換し、前記第一の画像が原本であることを保証するための第二の画像を形成するための画像データを前記第二のテーブルを用いて変換し、
前記形成手段は、前記変換手段により前記第二のテーブルを用いて変換された画像データに基づいて、前記第二の画像を記録材に形成することを特徴とする原本保証システム。
【請求項１８】
前記第一のテーブル及び前記第二のテーブルは、ＲＧＢ色空間からＹＭＣＢｋ色空間に変換するためのテーブルであることを特徴とする請求項１７に記載の原本保証システム。
【請求項１９】
前記第二のテーブルにおけるＹＭＣＢｋの４色のトナー載り量の組み合わせは、前記第一のテーブルにおけるＹＭＣＢｋの４色のトナー載り量の組み合わせにはない組み合わせであることを特徴とする請求項１８に記載の原本保証システム。
【請求項２０】
前記画像形成装置は、
記録材に形成された画像の色の情報を読み取る第一の読取手段と、
前記第一の読取手段により前記第二の画像の色の情報を読み取り、読み取った色の情報を符号化してコードを生成する生成手段と、
を有し、
前記形成手段は、前記記録材に前記コードに基づく第三の画像を形成することを特徴とする請求項１７から請求項１９のいずれか１項に記載の原本保証システム。
【請求項２１】
前記画像形成装置は、
記録材に形成された画像の色の情報を読み取る第一の読取手段と、
前記第一の読取手段により前記第二の画像の色の情報を読み取り、読み取った色の情報に対応づけられた識別符号を符号化してコードを生成する生成手段と、
を有し、
前記形成手段は、前記記録材に前記コードに基づく第三の画像を形成することを特徴とする請求項１７から請求項１９のいずれか１項に記載の原本保証システム。
【請求項２２】
前記サーバは、前記読み取った色の情報と前記識別符号とを対応付けて保存することを特徴とする請求項２１に記載の原本保証システム。
【請求項２３】
前記原本判断装置は、
記録材に形成された第四の画像の色の情報を読み取る第二の読取手段と、
前記記録材に形成された第五の画像を読み取る第三の読取手段と、
前記第二の読取手段により読み取られた前記第四の画像の色の情報と、前記第三の読取手段により前記第五の画像から読み取られた情報と、に基づいて、前記第一の画像が原本であるか否かを判断する判断手段と、
を有することを特徴とする請求項２２に記載の原本保証システム。
【請求項２４】
前記判断手段は、前記第三の読取手段により前記第五の画像から読み取られた情報を復号して得られた識別符号を検索鍵として、前記サーバから前記識別符号に対応する色の情報を取得することを特徴とする請求項２３に記載の原本保証システム。
【請求項２５】
前記判断手段は、前記第二の読取手段により読み取られた前記第四の画像の色の情報と、前記サーバから取得した色の情報と、の差分が所定の値以下である場合に、前記第一の画像が原本であると判断することを特徴とする請求項２４に記載の原本保証システム。
【請求項２６】
前記判断手段により前記第一の画像が原本であると判断された場合には、
前記第四の画像は、前記第二の画像であり、
前記第五の画像は、前記第一の読取手段により読み取った前記第二の画像の色の情報を前記生成手段により符号化して生成されたコードに基づいて前記形成手段により形成された画像であることを特徴とする請求項２５に記載の原本保証システム。
【請求項２７】
前記色の情報は、色度であることを特徴とする請求項１７から請求項２６のいずれか１項に記載の原本保証システム。
【請求項２８】
前記色の情報は、分光反射率であることを特徴とする請求項１７から請求項２６のいずれか１項に記載の原本保証システム。
【請求項２９】
複数の色材を用いて記録材に画像を形成する形成手段を備える画像形成装置を用いた原本保証方法であって、
前記画像形成装置が、画像データの色の情報を前記複数の色材で表現するための色の情報に変換する際に用いられるテーブルであって、変換前後の対応関係が定義された第一のテーブルと、前記第一のテーブルとは異なる変換前後の対応関係が定義された第二のテーブルと、のいずれかを用いて画像データの色の情報を変換する変換手段を備え、
前記変換手段により、第一の画像を形成するために入力された画像データを前記第一のテーブルを用いて変換し、前記第一の画像が原本であることを保証するための第二の画像を形成するための画像データを前記第二のテーブルを用いて変換する変換工程と、
前記変換手段により前記第二のテーブルを用いて変換された画像データに基づいて、前記形成手段により前記第二の画像を記録材に形成する形成工程と、
を備えることを特徴とする原本保証方法。
【請求項３０】
前記第一のテーブル及び前記第二のテーブルは、ＲＧＢ色空間からＹＭＣＢｋ色空間に変換するためのテーブルであることを特徴とする請求項２９に記載の原本保証方法。
【請求項３１】
前記第二のテーブルにおけるＹＭＣＢｋの４色のトナー載り量の組み合わせは、前記第一のテーブルにおけるＹＭＣＢｋの４色のトナー載り量の組み合わせにはない組み合わせであることを特徴とする請求項３０に記載の原本保証方法。
【請求項３２】
前記画像形成装置は、記録材に形成された画像の色の情報を読み取る第一の読取手段と、前記第一の読取手段により前記第二の画像の色の情報を読み取り、読み取った色の情報を符号化してコードを生成する生成手段と、を有し、
前記形成手段により前記記録材に前記コードに基づく第三の画像を形成する工程を備えることを特徴とする請求項２９から請求項３１のいずれか１項に記載の原本保証方法。
【請求項３３】
前記画像形成装置は、記録材に形成された画像の色の情報を読み取る第一の読取手段と、前記第一の読取手段により前記第二の画像の色の情報を読み取り、読み取った色の情報に対応付けられた識別符号を符号化してコードを生成する生成手段と、を有し、
前記形成手段により前記記録材に前記コードに基づく第三の画像を形成する工程を備えることを特徴とする請求項２９から請求項３１のいずれか１項に記載の原本保証方法。
【請求項３４】
前記読み取った色の情報と前記識別符号とを対応付けて保存手段に保存する工程を備えることを特徴とする請求項３３に記載の原本保証方法。
【請求項３５】
前記保存手段は、前記画像形成装置とネットワークを介して接続されたサーバであることを特徴とする請求項３４に記載の原本保証方法。
【請求項３６】
前記色の情報は、色度であることを特徴とする請求項２９から請求項３５のいずれか１項に記載の原本保証方法。
【請求項３７】
前記色の情報は、分光反射率であることを特徴とする請求項２９から請求項３５のいずれか１項に記載の原本保証方法。
【発明の詳細な説明】
【技術分野】
【０００１】
本発明は、用紙に印刷された書類の原本性を証明するための原本保証書類を印刷する画像形成装置、原本判断装置、原本保証システム及び原本保証方法に関する。
【背景技術】
【０００２】
従来、住民票等の証明書類や保険証券、有価証券、各種チケットに対しては、確実に原本であることの確認ができて、容易に偽造できない特殊な処置を施した用紙が用いられている。例えば、発行者が原本であることを保証するために用いられる用紙には、透かしや磁気印刷、マイクロ文字、特殊インクによる印鑑やサイン等が施されている。これらの処置を施すには、高度な技術が必要であり、原本保証された書類を発行する場合には、一般利用者が手軽に利用できない。
【０００３】
一方、高度に情報化された社会では、数々の有価証券や証明書類に含まれた内容を電子化し、電子化された書類を印刷して利用する場合も想定される。即ち、一般利用者がネットワーク等を通じて有価証券や証明書類の情報を手に入れ、これらの書類を自宅のプリンタで印刷し、その印刷物を有価証券や証明書類として使う場面が出てくることが予想される。また、有価証券や証明書類などの発行元においても、発行機会の増大等により従来の原本性が確認できるような処置、例えば透かしやホログラムシート、磁気インク、マイクロ文字などに比べて、より低コストの手段への要望がある。そこで、原本とする用紙の繊維情報を読み取り、読み取った繊維情報を原本に印刷することで、書類の原本性を保証できるようにする原本登録装置が提案されている（例えば、特許文献１参照）。
【先行技術文献】
【特許文献】
【０００４】
【特許文献１】特開２００４−１１２６４４号公報
【発明の概要】
【発明が解決しようとする課題】
【０００５】
しかし、原本性の保証のために用紙の繊維情報を用いる場合、平滑な用紙では特徴的な繊維情報を見出せず、原本保証に用いることができないおそれがある。また、用紙は、摺擦や加圧、湿度によって表面性が変わってしまうおそれがある。このような場合には、用紙の繊維情報が初期の繊維情報と異なってしまい、原本保証ができなくなってしまうおそれがある。このように、原本性の保証のために用いる繊維情報が用紙の表面状態に左右されてしまうと信頼性が低下してしまう。
【０００６】
本発明は、このような状況のもとでなされたもので、低コストで信頼性の高い原本保証を行うことを目的とする。
【課題を解決するための手段】
【０００７】
上述した課題を解決するために、本発明は、以下の構成を備える。
【０００８】
（１）複数の色材を用いて記録材に画像を形成する形成手段を備える画像形成装置であって、画像データの色の情報を前記複数の色材で表現するための色の情報に変換する際に用いられるテーブルであって、変換前後の対応関係が定義された第一のテーブルと、前記第一のテーブルとは異なる変換前後の対応関係が定義された第二のテーブルと、のいずれかを用いて画像データの色の情報を変換する変換手段を備え、前記変換手段は、第一の画像を形成するために入力された画像データを前記第一のテーブルを用いて変換し、前記第一の画像が原本であることを保証するための第二の画像を形成するための画像データを前記第二のテーブルを用いて変換し、前記形成手段は、前記変換手段により前記第二のテーブルを用いて変換された画像データに基づいて、前記第二の画像を記録材に形成することを特徴とする画像形成装置。
【０００９】
（２）第一の画像が形成されている記録材に形成された第四の画像の色の情報を読み取る第二の読取手段と、前記記録材に形成された第五の画像を読み取る第三の読取手段と、前記第二の読取手段により読み取られた前記第四の画像の色の情報と、前記第三の読取手段により前記第五の画像から読み取られた情報に基づき得られた色の情報と、に基づいて、前記第一の画像が原本であるか否かを判断する判断手段と、を備え、前記第三の読取手段により前記第五の画像から読み取られた情報に基づき得られた色の情報は、画像データの色の情報を複数の色材で表現するための色の情報に変換する際に用いられるテーブルであって、変換前後の対応関係が定義され、前記第一の画像を形成するために入力された画像データを変換する際に用いられた第一のテーブルと、前記第一のテーブルとは異なる変換前後の対応関係が定義された第二のテーブルと、のいずれかを用いて画像データの色の情報を変換する変換手段と、前記複数の色材を用いて記録材に画像を形成する形成手段と、を備える画像形成装置の、前記変換手段により前記第二のテーブルを用いて変換された画像データに基づいて前記形成手段により形成された第二の画像の色の情報であることを特徴とする原本判断装置。
【００１０】
（３）複数の色材を用いて記録材に画像形成を行う画像形成装置と、記録材に形成された画像が原本であるか否かを判断する原本判断装置と、前記画像形成装置及び前記原本判断装置にネットワークを介して接続されたサーバと、を備える原本保証システムであって、前記画像形成装置は、画像データの色の情報を前記複数の色材で表現するための色の情報に変換する際に用いられるテーブルであって、変換前後の対応関係が定義された第一のテーブルと、前記第一のテーブルとは異なる変換前後の対応関係が定義された第二のテーブルと、のいずれかを用いて画像データの色の情報を変換する変換手段と、前記複数の色材を用いて記録材に画像を形成する形成手段と、を有し、前記変換手段は、第一の画像を形成するために入力された画像データを前記第一のテーブルを用いて変換し、前記第一の画像が原本であることを保証するための第二の画像を形成するための画像データを前記第二のテーブルを用いて変換し、前記形成手段は、前記変換手段により前記第二のテーブルを用いて変換された画像データに基づいて、前記第二の画像を記録材に形成することを特徴とする原本保証システム。
【発明の効果】
【００１１】
本発明によれば、低コストで信頼性の高い原本保証を行うことができる。
【図面の簡単な説明】
【００１２】
【図１】実施例１の画像形成装置の概略構成を示す図
【図２】実施例１のカラーセンサの概略構成を示す図
【図３】実施例１の原本保証書類の作成処理を示すフローチャート
【図４】実施例１の印刷画面の構成を示す図、原本保証書類の概略構成を示す図
【図５】実施例１のグレー濃度とトナー載り量との関係を示す図
【図６】実施例１の原本判断装置の概略構成を示す図
【図７】実施例２の分光反射率の一例を示すグラフ
【発明を実施するための形態】
【００１３】
以下、本発明を実施するための形態を、実施例により図面を参照しながら詳しく説明する。
【実施例１】
【００１４】
実施例１の原本保証書類を印刷する印刷装置である画像形成装置と、原本保証書類の作成方法、原本判断方法について詳細に説明する。ただし、この実施例に記載されている構成部品の形状、その相対配置等は、特に特定的な記載がない限りは、この発明の範囲をそれらのみに限定する趣旨のものではない。
【００１５】
［画像形成装置］
図１において、複数の色材を用いて記録材に画像を形成する画像形成装置Ａは、ネットワーク経由でホストコンピュータＤと接続されている。なお、画像形成装置Ａは、スタンドアローンで用いられていてもよい。画像形成装置Ａは、画像処理部Ｂと電子写真方式の形成手段であるエンジン部Ｃとから構成される。ホストコンピュータＤ内のアプリケーションソフトウェア等により作成された画像データは、プリンタドライバ２０１を介して印刷情報としてホストコンピュータＤから出力され、画像処理部Ｂに送信される。印刷情報としては、例えば、文字やグラフィックス、イメージ等の描画命令から構成されているＰＤＬ（Ｐａｇｅ  Ｄｅｓｃｒｉｐｔｉｏｎ  Ｌａｎｇｕａｇｅ）と呼ばれるプリンタ記述言語が用いられる。
【００１６】
画像処理部Ｂは、画像生成部１０１と変換手段である色変換部１０２、イメージバッファ１０３、原本保証用の画像を生成するための画像発生部１０４とから構成されている。画像処理部Ｂに送信された印刷情報は、画像生成部１０１で解析されラスタライズ処理されることで、赤（Ｒ）、緑（Ｇ）、青（Ｂ）各色のビットマップ画像データの印刷情報へと展開される。色変換部１０２は、Ｒ、Ｇ、Ｂ各色のビットマップ画像データを、エンジン部Ｃで使用されているトナー（色材）に合わせたイエロー（Ｙ）、マゼンタ（Ｍ）、シアン（Ｃ）、ブラック（Ｂｋ）のビットマップ画像データに変換する。色変換部１０２は、変換後の画像データをイメージバッファ１０３へ格納する。イメージバッファ１０３に格納されたビットマップ画像データは、画像形成の所定のタイミングでエンジン部Ｃに送信される。色変換部１０２における変換では、カラーテーブルと呼ばれるＲ、Ｇ、Ｂ画像データとＹ、Ｍ、Ｃ、Ｂｋ画像データとの対応関係を定めたデータ変換用テーブルが用いられる。カラーテーブルは、入力された画像データの色の情報を、エンジン部Ｃで用いられている複数の色材で表現するための色の情報に変換するためのテーブルである。即ち、Ｒ、Ｇ、Ｂ画像データが取りうる範囲（ＲＧＢ色空間）は、Ｙ、Ｍ、Ｃ、Ｂｋ画像データが取りうる範囲（ＹＭＣＢｋ色空間）にカラーテーブルによって変換される。
【００１７】
次にエンジン部Ｃを説明する。エンジン部Ｃは制御装置２９を備えており、制御装置２９は画像処理部Ｂと接続されている。制御装置２９は、画像処理部Ｂからの指示によりエンジン部Ｃの動作を制御する。制御装置２９は、ＣＰＵ２６、ＲＯＭ２７、ＲＡＭ２８等を有している。ＣＰＵ２６は、実際にエンジン部Ｃの制御を行う。読み出し専用のメモリであるＲＯＭ２７には、ＣＰＵ２６が制御を行うためのプログラムや各種データが格納されている。読み書き可能なメモリであるＲＡＭ２８は、ＣＰＵ２６が行うデータ処理のための作業領域に用いられる。
【００１８】
感光ドラム１Ｙ、１Ｍ、１Ｃ、１Ｂｋは、有機光半導体感光層を有するドラム状の感光体である。なお、色を表す添え字Ｙ、Ｍ、Ｃ、Ｂｋは、必要な場合を除き、以降省略する。帯電ローラ２は感光ドラム１を帯電するためのローラである。現像ローラ３Ｙ、３Ｍ、３Ｃ、３Ｂｋは、それぞれイエロー、マゼンタ、シアン、ブラックのトナーで現像するためのローラである。感光ドラム１は矢印方向（図中、時計回り方向）に回転しながら帯電ローラ２によって表面を一様に帯電される。感光ドラム１は、露光装置４から照射されたレーザ光５により表面が露光され、潜像が形成される。レーザ光５は、画像処理部Ｂのイメージバッファ１０３から送信されてくる画像データに基づいて、例えば、発光時間が変調されたＰＷＭ方式で発光される。
【００１９】
感光ドラム１上に形成された潜像は、現像ローラ３によって各色のトナーによって現像され、トナー像が形成される。感光ドラム１に対向する位置には、ベルト支持部材６ａ、６ｂ、６ｃに掛け渡された中間転写ベルト７が配設されている。中間転写ベルト７の内側には、中間転写ベルト７を感光ドラム１側に押圧する一次転写ローラ８が配設される。各感光ドラム１上に形成されたトナー像は、不図示の電源によって電圧が印加された一次転写ローラ８によって中間転写ベルト７上に順次転写される。給紙カセット９に積載されている記録材Ｐは、半月状の給紙ローラ１０により給紙され、分離ローラ対１１によって１枚に分離された後、レジストレーションローラ対１２まで搬送されて、一旦停止される。
【００２０】
ベルト支持部材６ｂに対向する位置には、中間転写ベルト７上に形成されたトナー像を記録材Ｐに転写するための二次転写ローラ１３が配置される。中間転写ベルト７上に形成されたトナー像が二次転写ローラ１３とベルト支持部材６ｂによって形成される二次転写ニップ部に到達するタイミングに同期して、停止していた記録材Ｐはレジストレーションローラ対１２によって二次転写ニップ部に搬送される。そして、二次転写ローラ１３に不図示の電源によって二次転写電圧が印加され、中間転写ベルト７上のトナー像が記録材Ｐ上に転写される。トナー像が転写された記録材Ｐは、中間転写ベルト７から分離されて定着手段である定着装置１４に搬送され、加熱、加圧されて記録材Ｐの表面にトナー像が溶融固着される。これにより、４色のフルカラー画像が得られる。
【００２１】
感光ドラム１から中間転写ベルト７への転写において、中間転写ベルト７に転写されずに感光ドラム１上に残ったトナーは、ブレードを用いたクリーニング部材１５によって除去、回収される。また、中間転写ベルト７から記録材Ｐへの転写において、記録材Ｐに転写されずに中間転写ベルト７上に残ったトナーは、ブレードを用いたクリーニング部材１６によって除去、回収される。
【００２２】
記録材Ｐへの画像形成が片面（一面目）のみの場合、定着装置１４で定着された記録材Ｐは、排紙ローラ対１７によって排紙トレイ１８に排出され、画像形成は終了する。一方、記録材Ｐへの画像形成が両面の場合、記録材Ｐの後端が排紙ローラ対１７に到達したタイミングで排紙ローラ対１７を逆回転させる。排紙ローラ対１７の逆回転とともに、不図示の駆動手段によってフラッパ１９を動作させて、記録材Ｐを両面搬送ローラ対２０へ導くように、逆方向に搬送（スイッチバック）させる（図中、破線で示す）。これにより記録材Ｐの最初にトナー像を定着した面（一面目）の裏面（二面目）にも、トナー像を形成することが可能になる。記録材Ｐは両面搬送ローラ対２１、２２、２３によって両面搬送路２５を搬送され、再びレジストレーションローラ対１２へと搬送されて、所定のタイミングで二次転写ニップ部へと搬送される。そして、タイミングを合わせて中間転写ベルト７上に形成されている裏面用のトナー像が記録材Ｐの裏面に転写される。再び記録材Ｐは定着装置１４に搬送されて記録材Ｐの裏面へトナー像が溶融固着される。そして、記録材Ｐは排紙ローラ対１７によって排紙トレイ１８上に排出され、記録材Ｐの両面への画像の画像形成は終了する。また、両面搬送路２５には、第一の読取手段であるカラーセンサ２４が設けられている。
【００２３】
［カラーセンサ］
カラーセンサ２４は、色の情報を計測することが可能な測色手段であり、エンジン部Ｃの両面搬送路２５に沿って配置されている。カラーセンサ２４は、記録材Ｐが排紙ローラ対１７によってスイッチバックされた後、記録材Ｐに定着されたトナー像を計測して色の情報を取得することができる。カラーセンサ２４は、記録材Ｐの搬送方向に直交する方向における中央部を測定するように配置されている。
【００２４】
本実施例のカラーセンサ２４は、分光タイプの測色器である。図２は、カラーセンサ２４の構成を示す概略図である。図２のカラーセンサ２４は、可視光領域の全体にわたる波長分布を有する白色光を発光する光源２４１、集光レンズ２４２、スリット２４３、回折格子２４４、複数の受光素子からなるラインセンサ２４５を有する。更に、カラーセンサ２４は、ＣＰＵ２４１０、ＲＯＭ２４１１、ＲＡＭ２４１２を備えている。ＣＰＵ２４１０は、カラーセンサ２４の制御や演算を行う。ＲＯＭ２４１１は、ＣＰＵ２４１０が制御を行うためのプログラムや演算に必要な各種データが書き込まれている読み出し専用のメモリである。ＲＡＭ２４１２は、データ処理のための作業領域として用いられる読み書き可能なメモリである。
【００２５】
光源２４１から照射された光２４６は、開口２４７を通過し記録材Ｐの上に形成された被測色物２４８に約４５°の角度で入射し、被測色物２４８によって反射されて、被測色物２４８の光吸収特性に応じた散乱光２４９となる。散乱光２４９の一部は、集光レンズ２４２によってスリット２４３に送られ、回折格子２４４に入射し、分光される。分光された分散光は、ラインセンサ２４５に入射する。ラインセンサ２４５は、分光された各波長の光を受光する複数の受光素子から構成され、ラインセンサ２４５に入射された光量に応じた信号がラインセンサ２４５を構成する各受光素子からＣＰＵ２４１０に出力される。
【００２６】
ＣＰＵ２４１０は、ラインセンサ２４５から入力された各受光素子からの信号に対して所定の演算を行い、１０ｎｍ間隔で波長３８０ｎｍから７３０ｎｍの範囲の分光反射率を算出する。ＣＰＵ２４１０は、算出した分光反射率に対して更に演算を行い、ＣＩＥ（国際照明委員会）で定められているＸＹＺ（ＣＩＥ／ＸＹＺ）やＬ＊ａ＊ｂ＊（ＣＩＥ／Ｌ＊ａ＊ｂ＊）等の色度を算出することも可能である。カラーセンサ２４は、エンジン部ＣのＣＰＵ２６と接続されている。エンジン部ＣのＣＰＵ２６は、ＣＰＵ２４１０を介して、カラーセンサ２４で算出された分光反射率やＣＩＥ／ＸＹＺ、ＣＩＥ／Ｌ＊ａ＊ｂ＊等の色の情報を、必要に応じてカラーセンサ２４から取り込むことができる。
【００２７】
以上のような構成のカラーセンサ２４は、例えば、画像形成装置Ａの出力画像の色味を安定させるために用いられる。まず、画像形成装置Ａにより記録材Ｐ上に様々な色の試験画像（以下、パッチという）が形成され定着される。その後、記録材Ｐ上のパッチが両面搬送路２５に搬送されて、カラーセンサ２４により各パッチの色の情報が読み取られ、各パッチが形成されたときの画像データとの対応付けが行われる。カラーセンサ２４により読み取られた各パッチの色の情報と、各パッチが形成されたときの画像データとを対応付けた結果を、色変換部１０２にフィードバックすることで、画像形成装置Ａは安定した色味の画像を出力することができるようになる。
【００２８】
［原本保証書類の形成方法］
図３は、本実施例の原本性が保証された書類を形成する方法を説明するフローチャートである。ステップ（以下、Ｓとする）３０１でＣＰＵ２６は、ユーザによりホストコンピュータＤのアプリケーションを用いて作成された書類について、原本性が保証された書類（以下、原本保証書類という）の印刷指示を受信したか否かを判断する。Ｓ３０１でＣＰＵ２６は、原本保証書類の印刷指示を受信していないと判断した場合、処理をＳ３０１に戻す。Ｓ３０１でＣＰＵ２６は、原本保証書類の印刷指示を受信したと判断した場合、処理をＳ３０３に進める。
【００２９】
図４（ａ）は、ホストコンピュータＤのアプリケーションの印刷画面の一例を示す図である。例えば、図４（ａ）に示すように、ホストコンピュータＤの画面２５０上に表示される印刷画面２００１に原本保証印刷を行うか否かを設定するためのチェックボックス２００２が設けられている。ユーザにより印刷が指示される際に、チェックボックス２００２がチェックされている場合には、原本保証書類を形成するための第一のモードで画像形成動作を行う。一方、ユーザにより印刷が指示される際に、チェックボックス２００２がチェックされていない場合には、通常の画像形成を行うための第二のモードで画像形成動作を行う。なお、図４（ａ）は、チェックボックス２００２がチェックされているため、第一のモードで画像形成動作が行われることとなる。
【００３０】
図３の説明に戻り、Ｓ３０３でＣＰＵ２６は、記録材Ｐ上に、図４（ｂ）に示すような原本とするべき書類の第一の画像である本文５１とともに、記録材Ｐの搬送方向の後端に第二の画像である原本保証用の画像５２を形成する。具体的には、ＣＰＵ２６は、画像生成部１０１によって生成された画像データに基づき本文５１を形成し、画像発生部１０４によって生成された画像データに基づき原本保証用の画像５２を形成する。原本保証用の画像５２は、例えば、縦１ｃｍ、横２ｃｍ程度の長方形で、カラーセンサ２４の計測位置に合わせて、記録材Ｐの搬送方向における後端の中央部に形成される。
【００３１】
Ｓ３０４でＣＰＵ２６は、記録材Ｐ上に形成された図４（ｂ）に示す記録材Ｐを定着装置１４により定着する。定着装置１４により定着処理が行われた記録材Ｐは、排紙ローラ対１７の逆回転によって両面搬送路２５にスイッチバックされ、カラーセンサ２４の位置まで搬送される。ＣＰＵ２６は、カラーセンサ２４によって記録材Ｐに形成された原本保証用の画像５２の測色を行う。上述したように、カラーセンサ２４では、開口２４７の位置に搬送されてきた被対象物である原本保証用の画像５２に光源２４１により白色光を照射し、散乱光２４９を回折格子２４４により分光し、ラインセンサ２４５により分光した光を受光する。カラーセンサ２４のＣＰＵ２４１０は、ラインセンサ２４５の各受光素子から入力された信号に基づいて、原本保証用の画像５２のＬ＊ａ＊ｂ＊形式の色の情報であるＬ１、ａ１、ｂ１を算出し、その情報をＣＰＵ２６に送信する。ＣＰＵ２６は、算出された色の情報であるＬ１、ａ１、ｂ１をカラーセンサ２４のＣＰＵ２４１０から受信する。
【００３２】
Ｓ３０５でＣＰＵ２６は、カラーセンサ２４によって算出された色の情報（Ｌ１、ａ１、ｂ１）をエンコードすることにより、二次元コードを生成し、イメージバッファ１０３に二次元コードの画像データを格納する。ＣＰＵ２６は、カラーセンサ２４により読み取った原本保証用の画像５２の色の情報を符号化してコードを生成する生成手段として機能する。ここで、二次元コードの画像データは、ブラックのトナー（以下、単にＢｋとする）のみで形成されるものとする。なお、色の情報に基づき二次元コードを作成する際には、公知の技術を用いて暗号化しておくのが好ましい。ここで、記録材Ｐについて、本文５１及び原本保証用の画像５２が形成される面を一面目、本文５１及び原本保証用の画像５２が形成されていない面を二面目とする。
【００３３】
Ｓ３０６でＣＰＵ２６は、両面搬送路２５から搬送されてきた記録材Ｐが二次転写ニップ部に到達するタイミングに合わせて、記録材Ｐの二面目に二次元コードの画像形成を行う。これにより、中間転写ベルト７上にＢｋで形成された二次元コードのトナー像が形成される。Ｓ３０６でＣＰＵ２６は、二次転写ニップ部に搬送されてきた記録材Ｐの二面目に、中間転写ベルト７上のＢｋで形成された二次元コードのトナー像を転写し、定着装置１４により定着する。Ｓ３０７でＣＰＵ２６は、記録材Ｐを排紙ローラ対１７によって排紙トレイ１８上に排出し、原本保証書類の形成を終了する。排紙トレイ１８上に排出された記録材Ｐは、一面目に本文５１及び原本保証用の画像５２が形成され、二面目に第三の画像であるＢｋの二次元コードのトナー像（以下、単に二次元コードという）５３が形成された、原本が保証された書類である。
【００３４】
このように、記録材Ｐの一面目（表面ともいう）には図４（ｂ）のような画像が、記録材Ｐの二面目（裏面ともいう）には図４（ｃ）のような画像が、それぞれ形成された原本保証書類が作成される。なお、図４（ｃ）に示すように、二次元コード５３は、記録材Ｐを透かして見たときに、一面目の原本保証用の画像５２と重ならない位置に配置されている。本実施例では、記録材Ｐの二面目には二次元コード５３が形成される構成としているが、バーコードで知られる一次元コードが形成される構成とすることもできる。
【００３５】
本実施例では、ユーザがホストコンピュータＤを用いて書類を作成して原本保証書類の印刷を指示していたが、次のような構成としてもよい。即ち、文書ファイルの仕様を、原本保証書類の印刷を指示する情報を埋め込み可能とし、発行元からユーザが原本保証書類の印刷が指示された文書ファイルを受けて印刷すると原本保証書類を形成する第一のモードで印刷が行われるような構成としてもよい。
【００３６】
［原本保証用の画像］
一般に電子写真方式の画像形成装置では、Ｙ、Ｍ、Ｃ、Ｂｋの４色のトナーを用いてできるトナー載り量の組み合わせをすべて使って画像を形成しているわけではない。例えば、図５（ａ）は、本実施例の画像形成装置Ａを用いてグレー色を印刷する場合のグレー濃度とＹ、Ｍ、Ｃ、Ｂｋの各色のトナー載り量との関係を表わしたものである。図５（ａ）中、細い実線はＹを、中太の実線はＭを、太い実線はＣを、破線はＢｋを、それぞれ示している。図５（ａ）の横軸はグレー濃度（％）を示し、縦軸はトナー載り量（％）を示す。ここで、グレー濃度の０％は白に、グレー濃度の１００％は黒に、それぞれ対応する。画像データ１００％の画像を、Ｙ、Ｍ、Ｃ、Ｂｋの各色に対して形成すると、その画像形成装置で最も単位面積当たりのトナーの使用量が多い画像（以下、ベタ画像という）が、それぞれの色に対して得られる。このときのそれぞれの色の記録材Ｐ上での単位面積当たりのトナー重量をトナー載り量１００％としている。一般に、画像データとトナー載り量は、ほぼ等価に扱うことができる。
【００３７】
図５（ａ）に示すように、あるグレー濃度まではＹ、Ｍ、Ｃのトナー載り量は増加するが、所定のグレー濃度よりもグレー濃度が高くなると、グレー濃度が高くなるにつれて、Ｙ、Ｍ、Ｃのトナー載り量が減り、Ｂｋのトナー載り量が増えている。これは、トナー使用量の削減と黒の再現性を向上させることを目的として行われる下色除去（以下、ＵＣＲ（Ｕｎｄｅｒ  Ｃｏｌｏｒ  Ｒｅｍｏｖａｌ）処理という）という処理が用いられているからである。
【００３８】
ＵＣＲ処理が実施されている場合、図５（ｂ）のＹ、Ｍ、Ｃの破線部分のようなトナー載り量の組み合わせは、色変換部１０２で用いられるカラーテーブル内には設定されていない。このため、図５（ｂ）の破線部分で示すトナー載り量の組み合わせは、ホストコンピュータＤから受信した印刷情報に基づく画像データを形成する第二のモード、即ち、通常の画像形成で用いられることはない。そこで、本実施例では、第二のモードである通常の画像形成では用いられない図５（ｂ）の破線部分のトナー載り量の組み合わせを用いて、原本保証用の画像５２を形成する。このように、第二のモードでは用いられないトナー載り量の組み合わせを用いて画像形成を行うモードを第一のモードとする。本実施例では、原本保証用の画像５２を、第一のモードで形成する。
【００３９】
具体的には、表１のようにカラーテーブルを２種類用意する。カラーテーブルは、画像データの色の情報を複数の色材で表現するための色の情報に変換する際に用いられるテーブルであり、変換前後の対応関係が定義されている。そして、原本となる本文５１用の画像データに基づく画像形成動作においては、第一のテーブルであるカラーテーブル１を用い、原本保証用の画像５２の画像データに基づく画像形成動作においては、第二のテーブルであるカラーテーブル２を用いる。カラーテーブル２は、カラーテーブル１とは異なる変換前後の対応関係が定義されている。
【００４０】
【表１】
2017073695.tif 000003
ここで、表１の一列目にはグレー濃度（％）を示し、二列目から四列目には、各グレー濃度に対応するＲ、Ｇ、Ｂの値を示す。また、表１の五列目から八列目は本文５１の形成時に用いられるカラーテーブル１を示し、各グレー濃度（又はＲ、Ｇ、Ｂ）に対応するＹ、Ｍ、Ｃ、Ｂｋの値を示す。更に、表１の九列目から十二列目には原本保証用の画像５２の形成時に用いられるカラーテーブル２を示し、各グレー濃度（又はＲ、Ｇ、Ｂ）に対応するＹ、Ｍ、Ｃ、Ｂｋの値を示す。表１のカラーテーブル１は、ホストコンピュータＤから入力された画像データに基づく画像形成が行われるときに用いられる、言い換えれば、画像生成部１０１により生成された画像データの画像形成を行うときに用いられる。また、表１のカラーテーブル２は、原本保証用の画像５２の画像データに基づく画像形成が行われるときに用いられる、言い換えれば、画像発生部１０４により生成された画像データの画像形成を行うときに用いられる。
【００４１】
例えば、原本保証用の画像５２には、グレー濃度７０〜１００％の範囲を用いる。カラーテーブル２のグレー濃度０〜６０％の範囲は、原本保証用の画像５２には用いられないため、値が設定されていない。このようにして、カラーテーブル２で用いられるＹ、Ｍ、Ｃ、Ｂｋの画像データの組み合わせは、カラーテーブル１には全く含まれない組合せにしておく。この結果、カラーテーブル１を用いて得られるＹ、Ｍ、Ｃ、Ｂｋの画像データの組み合わせ（色空間）は、カラーテーブル２を用いて得られるＹ、Ｍ、Ｃ、Ｂｋの画像データの組み合わせ（色空間）とは全く異なる、排他的なものとなる。
【００４２】
原本保証書類の印刷を行う際、画像発生部１０４は、グレー濃度７０〜１００％の範囲の中からランダムにグレー濃度を設定する。画像発生部１０４は、設定したグレー濃度に対応した原本保証用の画像５２のＲ、Ｇ、Ｂ画像データを色変換部１０２に送信し、色変換部１０２にカラーテーブル２を用いるように指示する。このような構成とすることで、原本保証用の画像５２には、第二のモードである通常の画像形成では使われない色空間の画像データの組み合わせが選択される。このため、通常の画像形成で用いられる色再現範囲から外れた色味の原本保証用の画像５２を得ることができる。このとき、記録材Ｐ上に形成された原本保証用の画像５２は、カラー複写機やコンピュータのアプリケーションソフトを用いて偽造することが困難なものとなる。即ち、原本としたい本文５１に、偽造が困難な原本保証用の画像５２を付加して印刷することによって、書類の原本性を保証する効果を奏する。
【００４３】
なお、ここではグレー色のカラーテーブルについて説明したが、原本保証用の画像５２は、カラーテーブル１に含まれていない４色のトナー載り量の組み合わせであれば、グレー色以外を用いてもよい。また、色変換部１０２による色変換処理は、表１に示すようなカラーテーブルのような変換テーブルを用いた方法ではなく、行列式のような変換式を用いた方法でもよい。
【００４４】
［原本判断方法］
記録材Ｐが原本であるか否かを判断する原本判断処理には、図６のような原本判断装置４０を用いる。図６（ａ）に示すように、原本判断装置４０は、ＣＣＤカメラ等の第三の読取手段である読み取り装置４１と、カラーセンサ２４と同様の構成の第二の読取手段であるカラーセンサ４２、判断ボタン４３、判断結果を表示させるための表示部４４とを備えている。これらは、判断手段である制御部５０に接続されている。図６（ｂ）は原本判断装置４０を横から見た図である。原本判断装置４０は、簡易な構成であるため低コストで実現できる。
【００４５】
図６（ａ）、図６（ｂ）に示す構成において、図６（ｃ）のようにユーザにより原本判断装置４０に判断の対象となる書類４５がセットされ、判断ボタン４３が押下される。ここで、書類４５は、次のような状態で原本判断装置４０上に載置される。即ち、一面目に印刷された第四の画像である原本保証用の画像５２ａがカラーセンサ４２によって読み取られ、二面目に印刷された第五の画像である二次元コード５３が読み取り装置４１によって読み取られるように、原本判断装置４０上に載置される。判断ボタン４３が押下されると、カラーセンサ４２は書類４５の一面目に形成されている原本保証用の画像５２ａの色を計測し、読み取り装置４１は書類４５の二面目に形成されている二次元コード５３を読み取る。カラーセンサ４２は、原本保証用の画像５２ａを計測し、計測した結果に基づきＬ＊ａ＊ｂ＊形式の色の情報Ｌ２、ａ２、ｂ２を算出し、制御部５０に送信する。また、読み取り装置４１は、二次元コード５３を読み取った結果を制御部５０に送信し、制御部５０は、二次元コード５３をデコードして、原本保証用の画像５２が形成された際の色の情報Ｌ１、ａ１、ｂ１を算出する。
【００４６】
制御部５０は、カラーセンサ４２から得られた色の情報Ｌ２、ａ２、ｂ２と、読み取り装置４１から得られた色の情報Ｌ１、ａ１、ｂ１と、を比較することにより、書類４５が原本か否かを判断する。上述したように、原本保証用の画像５２ａが本実施例の構成により形成された画像であれば、原本保証用の画像５２ａは、カラーテーブル２を用いて形成された偽造が困難な画像（即ち、図４（ｂ）の画像５２）である。このため、カラーセンサ４２から得られた原本保証用の画像５２ａの色の情報Ｌ２、ａ２、ｂ２と、読み取り装置４１により読み取られた二次元コードから得られた色の情報Ｌ１、ａ１、ｂ１が一致すれば、書類４５は原本であることが証明される。
【００４７】
そこで、２つの色の情報について一致の程度を判断するために、制御部５０は、これらの値から次の式（１）を用いて色差ΔＥを算出する。
2017073695.tif 000004
【００４８】
制御部５０は、カラーセンサ４２の計測値の装置毎のばらつき等を考慮して、式（１）により得られる色差ΔＥが、所定の値以下、例えば３以下である場合には、上述した２つの色の情報が一致していると判断し、書類４５は原本であると判断する。制御部５０は、書類４５が原本であると判断した場合、表示部４４に、例えば「ＯＫ」の文字を表示させる。一方、制御部５０は、書類４５が原本であると判断しなかった場合には、表示部４４に、例えば「ＮＧ」の文字を表示させる。なお、原本であるか否かを判断するための色差ΔＥの値は、実機に合わせて３以外の値に設定してもよい。
【００４９】
また、原本判断装置４０の構成は、本実施例の構成に限定されるものではなく、同等の機能を有する構成であれば、他の態様であってもよい。例えば、市販のカメラやイメージスキャナ等の画像入力デバイスと、市販の測色器とを接続した市販のコンピュータ等に、原本判断用のアプリケーションソフトを提供することで、原本判断装置を構成することが可能である。
【００５０】
以上説明したように、本実施例の構成によって、画像形成装置に新たな部材を追加することなく原本保証書類を作成することができる。また、原本であるか否かの判断には、トナーで形成した原本保証用の画像が用いられるため、紙の表面状態に左右されず、安定した判断を行うことが可能である。以上、本実施例によれば、低コストで信頼性の高い原本保証を行うことができる。
【実施例２】
【００５１】
以下、図４（ｂ）、図４（ｃ）、図６、図７を用いて、実施例２について説明する。なお、画像形成装置、カラーセンサ２４等の構成は、実施例１と同様の構成には同一の符号を付し、説明を省略する。
【００５２】
［原本保証書類の作成方法］
実施例１は、原本保証書類を作成する際に、カラーセンサ２４により原本保証用の画像５２のＬ＊ａ＊ｂ＊形式の色の情報を計測している（図３  Ｓ３０４）。そして、その情報を二次元コード５３にエンコードして原本保証書類の二面目に形成する（図３  Ｓ３０５）構成である。本実施例では、原本保証用の画像５２の色の情報として、分光反射率を用いることを特徴とする。したがって、図４（ｃ）の二次元コード５３には、原本保証用の画像５２の分光反射率がエンコードされることになる。なお、分光反射率は、１０ｎｍ間隔で、３８０ｎｍから７３０ｎｍの範囲の反射率とする。また、分光反射率をエンコードして二次元コード５３を形成する際には、公知の技術によって暗号化することが好ましい。
【００５３】
本実施例では、画像形成装置Ａを用いて図３で説明した処理が実施され、原本保証書類が形成される。ここで、図３のＳ３０４でＣＰＵ２６は、カラーセンサ２４により原本保証用の画像５２の色の情報である分光反射率を取得する。図３のＳ３０５でＣＰＵ２６は、カラーセンサ２４によって計測された分光反射率をエンコードすることにより、二次元コード５３を生成し、イメージバッファ１０３に二次元コード５３の画像データを格納する。なお、図３の他の処理は実施例１で説明した処理と同様であり、説明を省略する。
【００５４】
［原本判断方法］
原本判断には図６と同様の原本判断装置４０を用いる。図６に示す原本判断装置４０では、ユーザにより判断の対象となる書類４５がセットされ、判断ボタン４３が押下されると、カラーセンサ４２により書類４５の一面目に形成された原本保証用の画像５２ａの色が計測される。また、原本判断装置４０では、読み取り装置４１により書類４５の二面目に形成された二次元コード５３が読み取られる。カラーセンサ４２により計測された原本保証用の画像５２ａの分光反射率は、制御部５０に出力される。一方、読み取り装置４１により読み取った二次元コード５３の情報も制御部５０に出力され、制御部５０は入力された二次元コード５３の情報をデコードし、原本保証用の画像５２ａが形成された際の分光反射率を得る。
【００５５】
制御部５０により得られる分光反射率を、図７のグラフに示す。図７は、横軸が光の波長（ｎｍ（ナノメートル））、縦軸が各波長の反射率（％）を示す。本実施例では、原本の判断に分光反射率の形状の一致の程度を用いる。
【００５６】
ここで、３８０ｎｍをｎ＝１、３９０ｎｍをｎ＝２、・・・、７３０ｎｍをｎ＝３６とすると、各波長の反射率（％）をＲとしたとき、分光反射率はＲ（ｎ）（ここでｎ＝１，２，３，・・・，３６）と表わすことができる。そこで、カラーセンサ４２により読み取られた書類４５の原本保証用の画像５２ａの分光反射率をＲ１（ｎ）とし、読み取り装置４１により読み取った二次元コード５３から得られた分光反射率をＲ２（ｎ）とする。このとき、２つの分光反射率Ｒ１（ｎ）、Ｒ２（ｎ）の形状の一致の程度を示すパラメータＳを次の式（２）により定義する。
2017073695.tif 000005
式（２）では、各波長における反射率の差分を加算しているため、Ｓ＝０ならば、２つの分光反射率Ｒ１（ｎ）、Ｒ２（ｎ）の形状が一致したことになる。
【００５７】
本実施例では、パラメータＳが、所定の値以下、例えば１４以下で分光反射率の形状が一致したと判断し、書類４５は原本であると判断する。なお、本実施例では、パラメータＳが１４のときに色差ΔＥは３程度である。パラメータＳが１４以下であった場合、制御部５０は、表示部４４にＯＫの文字を表示させる。一方、パラメータＳが１４より大きく、書類４５が原本と判断されなかった場合は、制御部５０は、表示部４４にＮＧの文字を表示させる。制御部５０が２つの分光反射率Ｒ１（ｎ）、Ｒ２（ｎ）の形状の一致の程度を判断するためのパラメータＳの値は、原本判断装置４０の構成に応じて１４以外の値に設定してもよい。
【００５８】
実施例１で説明したように、図３のＳ３０３で形成される原本保証用の画像５２の色は、通常の画像形成動作で用いられるトナーの組み合わせでは再現することはできないように構成されている。しかし、例えば、絵具やインク等を用いて原本保証用の画像５２の色と条件等色（メタメリズム）が起こる配色が見出されると、Ｌ＊ａ＊ｂ＊形式では一致する色が再現できてしまうおそれがある。しかし、Ｌ＊ａ＊ｂ＊形式では一致する色が再現できたとしても、分光反射率の形状まで再現させることは困難である。このため、本実施例のように、分光反射率を用いた原本判断を行うことにより、書類４５の偽造に対してより原本判断の精度を向上させることができる。更に、Ｌ＊ａ＊ｂ形式の色の情報と分光反射率の２つの情報をエンコードする等、性質の異なる色情報を複数エンコードして二次元コードを生成する構成としてもよい。
【００５９】
［サーバを用いた構成］
上述した実施例では、色の情報をエンコードして二次元コードを作成している。しかし、例えば、原本保証用の画像の色の情報と、識別符号、例えばシリアル番号を対応付けて保存、管理するサーバを用いる構成としてもよい。このような構成では、画像形成装置Ａ、原本判断装置４０及びサーバは、ネットワーク上を介して接続されている。サーバを用いる場合、原本保証書類は、次のように形成される。ＣＰＵ２６は、実施例１で説明したように、カラーテーブル２を用いて原本保証用の画像５２を形成する。ＣＰＵ２６は、記録材Ｐの一面目に形成された原本保証用の画像５２をカラーセンサ２４により計測する。ＣＰＵ２６は、計測した色の情報に対応づけられるシリアル番号を生成し、生成したシリアル番号をエンコードして二次元コードを生成し、記録材Ｐの二面目に形成する。ＣＰＵ２６は、生成したシリアル番号と、計測した色の情報とを対応付けて、サーバに保存する。
【００６０】
なお、予めサーバに、色の情報とシリアル番号とを対応付けた複数の組み合わせを保存しておく構成としてもよい。この場合、ＣＰＵ２６は、計測した色の情報に対応するシリアル番号をサーバから引き出し、引き出したシリアル番号をエンコードして二次元コードを生成し、記録材Ｐの二面目に形成する構成としてもよい。
【００６１】
このようにして、原本保証書類のシリアル番号をエンコードした二次元コードと、原本保証用の画像５２を記録材Ｐに印刷し、原本保証書類を形成する。原本保証書類が原本か否かを判断する際には、原本判断装置４０は、原本保証書類の二次元コードを復号して得られたシリアル番号を検索鍵として用い、サーバからシリアル番号に対応する色の情報を取得して原本判断を行う。これにより、色の情報を格納している二次元コード５３の解読や偽造が困難となるため、より安全な原本保証システムとなる。
【００６２】
以上、本実施例によれば、低コストで信頼性の高い原本保証を行うことができる。
【００６３】
［その他の実施例］
本発明は、上述した各実施例に限定されるものではなく、その要旨の範囲で種々に変更可能である。
例えば、上述した各実施例で説明した分光タイプの測色装置については、回折格子を用いた装置に限らず、プリズムを使用する等公知の分光手段を用いる分光測色装置を用いることも可能である。
また、本発明の測色装置を搭載した画像形成装置についても、本実施例では電子写真方式の画像形成装置を例として説明した。しかし、例えばインクジェット方式の画像形成装置や熱転写方式の画像形成装置等、既存のカラー画像が形成できる画像形成装置に搭載することも可能である。
更に、上述した実施例では、原本保証用の画像と二次元コードを、用紙の異なる面に形成したが、同じ面に形成する構成としてもよい。この場合、図６のカラーセンサ４２と読み取り装置４１は、用紙の同一の面を読み取ることが可能となるように構成される。
【００６４】
以上、その他の実施例においても、低コストで信頼性の高い原本保証を行うことができる。
【符号の説明】
【００６５】
５１        本文
５２        原本保証用の画像
１０２      色変換部
Ｃ          エンジン部
【図１】
2017073695.tif 000006
【図２】
2017073695.tif 000007
【図３】
2017073695.tif 000008
【図４】
2017073695.tif 000009
【図５】
2017073695.tif 000010
【図６】
2017073695.tif 000011
【図７】
2017073695.tif 000012